(57)【要約】特に強磁性検出システムと組み合わせて使用するための監視システム。検出システムは、検出システムが保護領域への入口を保護するドアの動きを検出したときに検出イベントを示すための警告信号を生成する種類のものである。監視システムは、警告信号が検出イベントを示すときに、ユーザに情報を提示してユーザにアラートするように構成されたプロセッサと、検出イベントの提示に応答して検出イベントが意図的でない動作または意図的な動作の結果であったかどうかを示すユーザ生成信号を生成するユーザ入力を受け入れるように構成されたユーザインタフェースとを備える。プロセッサは、ユーザ生成信号が検出イベントが意図的でない動作の結果であることを示したときに、検出イベントに関するデータをメモリユニットに自動的に格納するように構成される。
2020510454.tif 000002
【特許請求の範囲】
【請求項１】
検出システムと組み合わせて使用するための監視システムであって、前記検出システムは、前記検出システムが検出可能な物体を検出したときに検出イベントを示すための警告信号を生成する種類のものであり、
前記警告信号が検出イベントを示すときに、ユーザに情報を提示してユーザにアラートするように構成されたプロセッサと、
検出イベントの提示に応答して検出イベントが意図的でない動作または意図的な動作の結果であったかどうかを示すユーザ生成信号を生成するユーザ入力を受け入れるように構成されたユーザインタフェースとを備え、
前記プロセッサは、ユーザ生成信号が検出イベントが意図的でない動作の結果であったことを示すときに、検出イベントに関連するデータをメモリユニットに自動的に格納するように構成される、監視システム。
【請求項２】
前記検出システムは強磁性検出システムであり、前記検出可能な物体は強磁性物体である、請求項１に記載の監視システム。
【請求項３】
ディスプレイを含み、前記プロセッサは、前記警告信号の状態に従って前記ディスプレイ上に提示される１つまたは複数の画像を変更することによってユーザに情報を提示する、請求項１または２に記載の監視システム。
【請求項４】
提示される情報が、前記検出システムの１つまたは複数の部品の視覚的表現を含む、請求項３に記載の監視システム。
【請求項５】
前記部品が、前記検出システムに組み込まれた１つまたは複数の警告ライトの表示を含む、請求項４に記載の監視システム。
【請求項６】
前記ディスプレイおよび前記ユーザ入力は、前記検出システムから離れた前記検出システムがユーザに視認可能でない場所に配置されている、請求項３〜５のいずれか一項に記載の監視システム。
【請求項７】
前記検出システムは、ＭＲＩ室への出入口を保護するために前記出入口に組み付けられ、前記ディスプレイは、前記出入口から離れた制御室に配置されている、請求項３〜６のいずれか一項に記載の監視システム。
【請求項８】
前記プロセッサおよび前記ディスプレイが、ユーザ入力デバイスと共に単一の筐体内に一体化されている、請求項３〜７のいずれか一項に記載の監視システム。
【請求項９】
前記監視システムがポータブル型である、請求項１〜８のいずれか一項に記載の監視システム。
【請求項１０】
前記監視システムは、有線接続または無線で警告装置に接続されている、請求項１〜９のいずれか一項に記載の監視システム。
【請求項１１】
前記プロセッサは、使用時に、装置からデジタル記録または印刷された記録としてエクスポートするのに適した一連の意図的でないイベントに関する一組の格納されたデータを含むログファイルを生成するように構成されている、請求項１〜１０のいずれか一項に記載の監視システム。
【請求項１２】
前記ログファイルは、所定の間隔で自動的に生成される、請求項１１に記載の監視システム。
【請求項１３】
前記プロセッサは、前記ログファイルを生成する際に使用するための日付範囲を選択するようにユーザに促すように構成されている、請求項１１または１２に記載の監視システム。
【請求項１４】
前記ユーザ入力が前記検出イベントが意図的な動作の結果であったことを示している場合、データが格納されない、請求項１〜１３のいずれか一項に記載の監視システム。
【請求項１５】
格納されているデータの少なくとも一部が前記検出システムから得られる、請求項１〜１４のいずれか一項に記載の監視システム。
【請求項１６】
前記データが、前記検出システム以外の場所から取得されたデータを含む、請求項１〜１５のいずれか一項に記載の監視システム。
【請求項１７】
前記データが、
イベントの時刻、
前記検出システムによって保護されている領域の静止画またはビデオの記録、
前記検出イベントをトリガした信号の大きさ、
前記検出システムに関連付けられているドアの位置または状態、
前記検出システムに関連するドアを通過する出入りの発生頻度、
前記検出システムからのその他の出力
のうちの少なくとも１つを含む、請求項１〜１６のいずれか一項に記載の監視システム。
【請求項１８】
前記監視システムは、検出イベントの発生時に警告装置からアラーム信号を受信するように構成された受信機を含み、前記プロセッサは、前記受信機から受信した信号に従って動作する、請求項１〜１７のいずれか一項に記載の監視システム。
【請求項１９】
前記ユーザインタフェースがボタンを含む、請求項１〜１８のいずれか一項に記載の監視システム。
【請求項２０】
前記ボタンは画面上のボタンである、請求項１９に記載の監視システム。
【請求項２１】
前記ディスプレイは、トレーニング情報および／またはビデオ、ユーザマニュアル、および／または手順をユーザにさらに提供するように構成されている、請求項３に従属する場合の請求項１〜２０のいずれか一項に記載の監視システム。
【請求項２２】
前記ディスプレイは、ユーザが検出器システムのシステムテストを呼び出し、前記システムテストの結果を報告することを可能にするように構成されている、請求項３に従属する場合の請求項１〜２１のいずれか一項に記載の監視システム。
【請求項２３】
前記監視システムは、ユーザ入力に従って検出器システムの設定を変更するように構成されている、請求項１〜２２のいずれか一項に記載の監視システム。
【請求項２４】
検出システムに関連する検出イベントをログ記録する方法であって、前記検出システムは、使用時に前記検出システムが検出可能な物体を検出したときに検出イベントを示すように状態を変更する警告装置を含み、
監視システム上で検出システムからの動作情報を受信するステップと、
前記監視システムを用いて前記検出システムに関する情報をユーザに提示するステップと、
提示された情報を前記検出システムに関連する警告装置の状態に従って変更して、前記警告装置が検出イベントを示すときにユーザにアラートするステップと、
検出イベントが意図的でない動作または意図的な動作の結果であったかどうかを示すために検出イベントの提示に応答してユーザがユーザインタフェースを操作するステップとを含み、
検出イベントが意図的でない動作の結果であることがユーザインタフェースを介して示された場合、検出イベントに関連するデータが自動的にメモリユニットに格納される、方法。
【請求項２５】
提示された情報がモニタに表示される、請求項２４に記載の方法。
【請求項２６】
表示される情報が、前記検出システムの１つまたは複数の部品の視覚的表現を含む、請求項２５に記載の方法。
【請求項２７】
装置からデジタルまたは印刷された記録としてエクスポートするのに適した一連の意図的でないイベントに関する一組の格納されたデータを含むログファイルが生成される、請求項２４〜２６のいずれか一項に記載の方法。
【請求項２８】
ユーザは、前記ログファイルを生成する際に使用するための日付範囲を選択するように促される、請求項２７に記載の方法。
【請求項２９】
前記検出イベントが意図的な動作の結果であったことをユーザ入力が示したときにはデータは格納されない、請求項２４〜２８のいずれか一項に記載の方法。
【請求項３０】
格納されているデータの少なくとも一部が前記検出システムから得られる、請求項２４〜２９のいずれか一項に記載の方法。
【請求項３１】
前記データが、前記検出システム以外の場所から取得されたデータを含む、請求項２４〜３０のいずれか一項に記載の方法。
【請求項３２】
前記データが、イベントの時刻、強磁性検出システムによって保護されている領域の静止画またはビデオの記録、および／またはイベントをトリガした信号の大きさを含む、請求項２４〜３１のいずれか一項に記載の方法。
【請求項３３】
前記検出システムの少なくとも１つの動作特性に従って提示された情報を変更するステップをさらに含む、請求項２４〜３２のいずれか一項に記載の方法。
【請求項３４】
前記少なくとも１つの動作特性は、前記検出システムに関連するドアが開放状態にあるか、または閉鎖状態にあるかを含む、請求項３３に記載の方法。
【発明の詳細な説明】
【技術分野】
【０００１】
本発明は、検出システム用の監視システムに関し、特に、使用時に保護領域への入口を保護する強磁性検出システムに使用するための監視システムに関する（ただし、これに限定されない）。本発明はさらに、強磁性検出システムに関する強磁性検出イベントを記録する方法に関する。
【背景技術】
【０００２】
保護すべき領域を保護するために検出システムまたは手動スクリーニング方法を提供することが知られている。本発明が適用される１つの特定の例は、磁気共鳴画像法（ＭＲＩ：ｍａｇｎｅｔｉｃ  ｒｅｓｏｎａｎｃｅ  ｉｍａｇｉｎｇ）装置を含む領域の保護におけるものである。ＭＲＩ検査の前に、全ての強磁性物体を患者から取り除くことが重要である。強磁性物体がＭＲＩスキャナの磁石に引き寄せられて、持ち込み事故を引き起こす可能性がある。例えば、ヘアピンやブラジャーのアンダーワイヤなどの小さな強磁性物体は、ＭＲＩ画像に重大なアーチファクトを引き起こし、診断を妨げる可能性がある。この場合、物体を取り除き、患者を再スキャンする必要があり、これにはさらに時間がかかる。さらに、任意のインプラントが強磁性であり得るということが知られていることが重要である。これらを取り除くことはできないが、ＭＲＩでは安全でない場合や、安全な方法でスキャンを実行するための予防措置が必要な場合があるため、それらの知識は不可欠である。
【０００３】
強磁性検出システム（ＦＭＤＳ：Ｆｅｒｒｏｍａｇｎｅｔｉｃ  ｄｅｔｅｃｔｉｏｎ  ｓｙｓｔｅｍｓ）は、意図的であるか、または意図的でないにかかわらずＭＲＩに取り込まれ得る強磁性物体を検出するのに優れている。出願人は、ＭＲＩの前に強磁性材料を検出するためにＭＲＩ室への出入口に設置することができる多数のシステムを開発した。背景として、ＦＭＤＳは、その場所内で動く強磁性物体によって引き起こされる周囲磁場の変動を検出するように構成された複数の磁気センサを備える。変動は、しきい値検出器を使用して検出され、しきい値検出器の出力が視覚的および／または可聴的アラート装置に接続されている。
【０００４】
侵入管理ＦＭＤＳは通常、ＭＲＩ出入口に取り付けられており、大きな強磁性物体の侵入を視覚的または可聴的（またはその両方）に警告を発する警告装置を含む。警告装置は、ドアに近づいているかドアを通り抜けている人が対応できるように適時に警告するように視覚的または可聴的（またはその両方）なものでなければならない。これらのシステムは、この事実をキャリアの注意を引くために、強磁性物体が検出されれば必ずアラートを提供する。
【０００５】
検出イベントは、意図的であるか、または意図的でないものとすることができる。例えば、強磁性材料を含む機器をＭＲＩ室に持ち込むことが時には必要とされ得る。これは許容されることがある。例えば、一部の患者のモニタ、ガーニー、またはＩＶポールは強磁性成分を有するが、ＭＲＩの近くで安全であることがテストおよび証明されており、この機器は、「ＭＲ条件付き」と表示される。例えば、ＭＲ条件付き機器が室内に持ち込まれると、警告信号が発せられるが、安全であることが既知である意図的なイベントであるため、無視することができる。他方、知識の欠如または人的ミスのいずれかにより、強磁性物体が意図的でなくＭＲＩ室に持ち込まれようとしている場合、例えば、そのようなイベントは潜在的に生命を脅かす可能性がある。この場合もやはり警告信号が発せられ、ユーザは、警告に反応してＭＲＩ室に入る前に強磁性物体をチェックすることとなる。検出システムは、イベントが意図的であるか否かを知る方法がなく、両方のインスタンスをそれぞれの場合においてアラームの発生につながる共通の検出イベントとして見なす。
【０００６】
警告の発行につながる、かつ意図的でない検出イベントが発生した場合は、記録の保持または監査の目的でイベントの詳細を手動でログに記録することが、望ましいか、または法的要件となり得る場合がある。これは、ＭＲＩ室の一般的な動作手順の内訳を示し得る高いレベルの意図的でないイベントを非常に強調することとなる。たとえば、入室する各人は、通常、強磁性物体について事前にスクリーニングされるか、またはリスクについてのトレーニングを受けることとなる。そのため、適切に実行される環境では、ログに記録される意図的でないイベントの数はゼロに低下させるべきである。このようなログに記録された詳細には、日時、名前、部屋番号、および発生したことの詳細が含まれる。もちろん、手動でイベントをログに記録することは、時間がかかることであるか、または、慌ただしい環境や不適切なトレーニングが提供されている場合、見落とされる可能性がある。
【０００７】
イベントをログに記録する代替手段は、ＦＭＤＳからの検出信号を使用して出入口の静止画像またはビデオ画像のキャプチャをトリガすることであり、これは従来技術において周知である。この方法では、ユーザの入力なしで、関係する人および機器の時刻、日付、および識別情報をキャプチャすることができる。ただし、いくつかの欠点がある。第一に、そのようなシステムは、意図的なイベントと意図的でないイベントとを区別できないため、ＦＭＤＳにアラームを発生させる原因となったすべてのイベントをキャプチャすることとなる。記録されたイベントの大部分は適切に実行される機器では意図的なものであり、意図的でないイベントを判断するには、すべてのイベントを手動で調べる必要があり、その時、それらを正確に区別することは可能ではない場合がある。第二の欠点は、人々の画像を収集して保存することの法的な側面である。ＭＲＩ技術者は、自身の仕事の一部として同意し得るが、患者、特に子供を取り巻くプライバシー問題はより敏感である。
【発明の概要】
【発明が解決しようとする課題】
【０００８】
従って、本発明の目的は、意図的でない検出イベントをログに記録することができ、手動および画像ベースのログ記録システムに固有のいくつかの制限を改善することができる監視システムを提供することである。
【課題を解決するための手段】
【０００９】
本発明の第一の態様によれば、検出システムと組み合わせて使用するための監視システムが提供され、検出システムは、検出システムが検出可能な物体を検出したときに検出イベントを示すために警告信号を生成する種類のものであり、監視システムは、警告信号が検出イベントを示すときに、ユーザに情報を提示してユーザにアラートするように構成されたプロセッサと、
検出イベントの提示に応答して検出イベントが意図的でない動作または意図的な動作の結果であったかどうかを示すユーザ生成信号を生成するユーザ入力を受け入れるように構成されたユーザインタフェースとを備え、
プロセッサは、ユーザ生成信号が検出イベントが意図的でない動作の結果であったことを示すときに、検出イベントに関連するデータをメモリユニットに自動的に格納するように構成される。
【００１０】
「意図的な動作」とは、検出イベントをもたらした問題の動作を開始した人が、その動作がそのような検出イベントをもたらすであろうということを知っていたことを意味する。従って、「意図的でない動作」とは、検出イベントをもたらした問題の動作を開始した人が、検出イベントがその動作の結果であり得ることを知らなかった場合である。
【００１１】
検出システムは強磁性検出システムであり得、そして検出可能な物体は強磁性物体であり得る。
監視システムはディスプレイを含み得、プロセッサは警告信号の状態に従ってディスプレイ上に提示された１つまたは複数の画像を変更することによってユーザに情報を提示し得る。
【００１２】
提示された情報は、検出システムの１つまたは複数の部品の視覚的表現を含むことができ、その表現は、検出イベントが発生したときに変化する。そのような部品は、検出システムに組み込まれた１つまたは複数の警告ライトの表現を含み得る。警告ライトまたは照明が表示される場所では、検出イベントが発生すると、画面上に表示されるライトの色が変化し得る。
【００１３】
システムは、検出システムがユーザに視認可能でない場所において、検出システムから少なくとも部分的に離れて配置され得る。モニタ、またはユーザが検出イベントに対して変更するための可聴プレゼンタが設けられている場合、これはユーザ入力と共に遠隔地に配置されてもよい。
【００１４】
検出システムは、出入口を保護するためにＭＲＩ室への出入口に取り付けられ得、モニタは出入口から離れた制御室に配置され得る。典型的なＭＲＩ設備では、ＭＲＩ装置がスキャンしているときに、１人または複数人のオペレータが配置され得るＭＲＩ室から離れた制御室が存在する。これには、典型的には、ＭＲＩ室の外部から制御できるようにするＭＲＩ装置用の監視情報が含まれる。ディスプレイシステムは、ＭＲＩ装置用の制御システムと並んで制御室内に配置され得る。
【００１５】
プロセッサおよびディスプレイは、ユーザ入力デバイスと共に単一の筐体内に一体化され得る。これはデスクトップまたは壁に容易に搭載されることができる自立型装置を提供する。
【００１６】
監視システムはポータブル型であり得、必要に応じて、監視システムを部屋の周りを移動させることができる。
監視システムは、有線接続または無線で警告装置に接続され得る。
【００１７】
監視システムは、デジタルメモリを含み得、デジタルメモリにはイベントが格納され、かつプロセッサによってアクセス可能である。このメモリはまた、プロセッサによって実行されるべきプログラム命令を格納し得る。
【００１８】
プロセッサは、使用時に、デジタルまたは印刷された記録として装置からエクスポートするのに適切な一連の意図的でないイベントに関する一組の格納されたデータを含むログファイルを生成するように構成され得る。プロセッサは、ログファイルを生成する際に使用するための日付範囲を選択するようにユーザに促すように構成され得る。ユーザインタフェースは、ユーザが開始日と終了日として日付範囲を入力することを可能にし得、ログファイルは、範囲の２つの日付の間のイベントに対して生成される。
【００１９】
ログファイルは所定の間隔で自動的に生成され得る。
ユーザ入力が検出イベントが意図的な動作の結果であったことを示す場合、データが格納されないことが望ましい場合がある。このデータはログファイルから除外され得る。これにより、必要なストレージの量が低減され、多数の意図的なイベントの中で、何を少数の意図的でないイベントとすべきかを識別するのも容易になる。
【００２０】
ログファイルは、例えば、マイクロソフト（登録商標）エクセル（登録商標）のようなプロプライエタリコンピュータプログラムによって開くことができるフォーマットの電子データファイルを含み得る。
【００２１】
格納されているデータの少なくとも一部は、検出システムから取得され得る。データは、検出システム以外の他の場所からのデータをさらに含むか、またはそれ以外に含み得る。
【００２２】
データはイベントの時刻を含み得る。これは、監視システムに組み込まれているクロックから取得され得る。
データは、強磁性検出システムによって保護されている領域の静止画像またはビデオ記録、および／または検出イベントをトリガした強磁性信号の大きさを含み得る。監視システムは、保護領域を含むシーンを監視するカメラまたはビデオレコーダから画像またはビデオを受信し得る。カメラまたはビデオレコーダは、監視システムが提供されていない場合、監視システムの一部として提供され得る。
【００２３】
データは、ＭＲＩワークフローの安全性または有効性を評価するのに有用な他の情報を含み得る。ＦＭＤＳは、強磁性アラート以外の信号を生成し得る。たとえば、ＦＭＤＳは、ＭＲＩドアを横切る光線が交差したときに侵入イベントを検出し得る。ＦＭＤＳのいくつかは、方向、すなわち人または物が部屋に出入りしたかどうかを付加的に決定することができる。監視およびログ記録システムは、これらのイベントをカウントして、特定のＭＲＩの使用の尺度を提供し得る。他の例は、ＦＭＤＳが、ＦＭＤＳのアラーム応答を変更する目的でタグ付けされた人または機器の存在を記録し得ることである。そのため、モニタはタグ付けされた機器の使用状況をログ記録し得る。これは、施設がどの機器が頻繁に使用され、早急に交換する必要が生じることとなることを知るのに役立ち得る。第三の例は、いくつかのＦＭＤＳに存在するドアセンサーを利用することである。ドアが開放されている相対的な時間は、安全性に影響する。例えば、モニタは、上記の他の例からのデータと関連して、侵入イベントまたは退出イベントが発生することなくドアが開放されたままにされているかどうか（潜在的な危険の発生）を判断することができる。この状況を認識すると、モニタは、可聴的または視覚的アラートを発して、イベントをログ記録し得る。
【００２４】
一般に、本明細書に記載の監視システムは、検出器内で生成されたあらゆるデータを登録しかつログ記録し得ることを理解されよう。さらに、監視システムは、さまざまな情報を表示したり、その入力に基づいて警告を提供する決定をし得る。
【００２５】
監視システムは、検出イベントの発生時に強磁性検出システムから警告信号を受信するように構成された受信機を含み得、プロセッサは受信機から受信した信号に従って動作する。
【００２６】
ユーザインタフェースはボタンを含み得る。
そのようなボタンは画面上のボタンであり得、その場合、モニタは、タッチ感応型ディスプレイを含み得、ボタンがプロセッサによってタッチ感応型ディスプレイ上に生成される。
【００２７】
２個の画面上のボタンが設けられ得、１個は、検出イベントが意図的でなかったときにユーザが触れるためのものであり、他の１個は、検出イベントが意図的であったときにユーザが触れるためのものである。同様のものを、２個の物理的なボタンを使用して提供することができる。いずれの場合も、処理のためにプロセッサに供給されるユーザ入力が作成される。
【００２８】
１つの好ましい構成では、強磁性検出システムは、少なくとも１つの警告ライトをイベントが検出されないときの緑色から検出イベントが発生したときの赤色に変化させる警告信号を生成し、モニタは、警告ライト自体が緑色のときに緑色で、検出イベントが発生したときに赤色に変化する警告ライトの表現を表示し得る。
【００２９】
ディスプレイは、検出システムおよびシステムによって保護されているドアの絵画表現を画面上に提示し得る。これは、システムの非常に定型化されたもの、またはシステムのほぼ写真様の表現であるか、あるいは警告信号が重ねられたシステムの実際の写真の表現とすることができる（または、２つの写真が使用される可能性があり、１つは、警告が発行されていないときのシステムを示し、別の１つは、警告が発行されているときのものであり、プロセッサが、該当する写真が任意の時点でディスプレイ上に表示されるように、２つのうちのどちらかを選択する）。
【００３０】
監視システムは、ドアが開放されているかまたは閉鎖されているかを示す信号を受信し、実際のドアの位置に従って開放されているかまたは閉鎖されているドアの表現を画面上に表示し得る。
【００３１】
ディスプレイは、トレーニング情報および／またはビデオ、ユーザマニュアル、および／または手順をユーザに追加的に供給するように構成され得る。ディスプレイは、ユーザが検出器システムのシステムテストを起動し、システムテストの結果を報告することを可能にもし得る。
【００３２】
監視システムはまた、ユーザ入力に従って検出器システムの設定を変更するように構成され得る。
本発明は、別の態様では、ＭＲＩ室または他の保護領域用の出入口保護システムを提供し得、保護システムは、検出イベントの場合に警告信号を生成する強磁性検出システム等の検出システムと、第一の態様の監視システムとの組み合わせを備える。
【００３３】
強磁性検出システムは、使用時にユーザが意図せずに強磁性物体を部屋に持ち込むことから部屋を保護するためにＭＲＩ室への出入口に設置され得る。強磁性検出システムは、患者のスクリーニングに使用可能な、出入口から離れた場所に設置され得る。
【００３４】
ディスプレイは、出入口およびＭＲＩ室から離れた部屋に配置され得る。
システムは、出入口および強磁性検出システムの一部の画像を取り込むカメラまたはビデオレコーダを含み得る。カメラまたはビデオレコーダは、強磁性物体を所持して出入口を通過しようとしている一個人または複数人の画像を取り込む。
【００３５】
本発明のさらに別の態様によれば、検出システムに関連する検出イベントを記録する方法が提供され、検出システムは、使用時に検出システムが検出可能な物体を検出したときに検出イベントを示すように状態を変更する警告装置を含み、方法は、
監視システム上で検出システムからの動作情報を受信するステップと、
監視システムを用いて検出システムに関する情報をユーザに提示するステップと、
提示された情報を検出システムに関連する警告装置の状態に従って変更して、警告装置が検出イベントを示すときにユーザにアラートするステップと、
検出イベントが意図的でない動作または意図的な動作の結果であったかどうかを示すために検出イベントの提示に応答してユーザがユーザインタフェースを操作するステップとを含み、
検出イベントが意図的でない動作の結果であることがユーザインタフェースを介して示された場合、検出イベントに関連するデータが自動的にメモリユニットに格納される。
【００３６】
提示された情報はモニタ上に表示され得る。
表示される情報は、強磁性検出システムの１つまたは複数の部品の視覚的表現を含み得る。
【００３７】
デジタルまたは印刷された記録として装置からエクスポートするのに適した一連の意図的でないイベントに関する一組の記憶されたデータを含むログファイルが生成されることが望ましいこともあり得る。ユーザは、ログファイルを生成する際に使用するための日付範囲を選択するように促される。
【００３８】
ユーザ入力が検出イベントが意図的な動作の結果であったことを示しているときには、データは格納されなくてもよい。
データの少なくとも一部は検出システムから取得され得る。データは、検出システム以外の他の場所から取得されたデータをさらに含むか、またはそれ以外に含み得る。
【００３９】
データは、イベントの時刻、検出システムによって保護されている領域の静止画またはビデオの記録、および／またはイベントをトリガした信号の大きさを含み得る。
表示された情報は、検出システムの少なくとも１つの動作特性に従って変更され得る。少なくとも１つの動作特性は、検出システムに関連するドアが開放状態にあるのか、または閉鎖状態にあるのかを含み得る。
【００４０】
本発明は、患者スクリーニングＦＭＤＳにも適用され得る。これらは、一般的に、ＭＲＩドアではなく、むしろ患者交換領域内またはその近くに配置され、かつＭＲＩの前に患者に強磁性物体がないかをチェックする目的のためである。時には、患者はＭＲＩでスキャンしても安全だと見なされているが、それでもＦＭＤＳアラートをトリガする強磁性医療用インプラントを持っていることがあり得る。この場合、ユーザが意図的なイベントを宣言することを可能にするために、本発明のモニタを同様に適用し得る。使用状況、意図的でないアラートの数などのデータログ記録の他の態様も同様に適用可能であることが理解されよう。
【００４１】
本発明は、意図的なイベントを記録するためのユーザ入力が必要とされる任意の検出器システムに適用され得ることは明らかであろう。たとえば、アーチ型金属探知機、ミリ波イメージャ、嗅覚センサシステムなどのセキュリティ対策は、アラートを引き起こす意図的なイベントをログに記録する必要がある場合に役立ち得る。
【００４２】
制御室へのモニタの追加は、さらなる有利な用途のための多くの可能性を開く。これらのうちの１つは、例えばトレーニング資料、手順、方針、ヘルプ情報、検出器用の取扱説明書などの情報の格納されたリポジトリから選択して表示するためのものであり得る。格納された情報はビデオ、音声録音またはテキストであり得る。別の用途は、ユーザがモニタに入力して検出器の動作を変更または調整することであり得る。例としては、システムテストを起動して結果を報告すること、感度設定、アラームの大きさ、または明るさを調整すること、検出器システムを異なるモードに設定することなどがある。別の例は保安報告を定期的に自動生成することである。これらは、モニタからダウンロードするか、または安全担当者に自動的に電子メールで送信され得る。
【００４３】
次に、添付の図面を参照しながら本発明を説明する。
【図面の簡単な説明】
【００４４】
【図１】本発明の第一の態様による監視システムおよび強磁性検出システムの概略図である。
【図２】本発明の第二の態様による監視方法の概略図である。
【図３】タブレットコンピュータを使用した図１の発明の実施形態の描写図である。
【図４ａ】ユーザ入力のためのプロンプトを示す、図１の本発明の実施形態の描写図である。
【図４ｂ】データ入力画面を示す図４ａの実施形態の描写図である。
【図５】任意の日付範囲について生成されたログファイルの例を示す図である。
【図６ａ】検出イベントのグラフィック表示を示す図である。
【図６ｂ】検出イベントのグラフィック表示を示す図である。
【図７ａ】監視システム上に表示可能なトレーニング教材の例を示す図である。
【図７ｂ】監視システム上に表示可能なトレーニング教材の例を示す図である。
【発明を実施するための形態】
【００４５】
本発明の監視システム１００の実施形態が添付の図面に示されている。監視システム１００はモニタ１０２を含み、モニタ１０２上にリンクされた検出システム１０４（この場合は強磁性検出システムである）に関する情報が表示される。検出システム１０４は、他の任意の種類の検出システムでもあり得る。この監視システム１００は、おそらくＭＲＩ装置用の制御室内の強磁性検出システム１０４からある程度離れたところに配置され得る。一方、強磁性検出システム１０４は、ＭＲＩ室が配置されている、ＭＲＩ室への出入口１０６を保護することができる位置に、典型的に、部屋に入ろうとしている誰にでも視認可能なＭＲＩ室の外側において出入口１０６に沿った壁１０８に取り付けられることにより、配置される。
【００４６】
図３に示すように、図示された実施形態は、保護された出入口１０６の視覚的表現としてモニタ１０２上に情報を提示し、この例における検出システム１０４は、２つの細長いポール１１０として出入口１０６の両側に組み付けられ、細長いポール１１０の各々の上部には警告ライト１１２が組み込まれている。もちろん、システム１００の特性のリストを含む画面上のテーブル等の、他の形態の表示される情報を追加的にまたは代替的に使用することができる。出願人は、モニタ１０２が強磁性検出システム１０４のように見えるものをそれがユーザにとって非常に直感的となるように表示することを好ましいものとしている。
【００４７】
監視システム１００を使用することができる強磁性検出システム１０４は、本出願人の以前の出願である英国特許第２３９５２７６号明細書および国際公開第２０１２／０２２９７１号パンフレットに記載されているタイプのものであり得、これら両方の出願は、その全体が参照として本明細書に組み込まれる。
【００４８】
システム１００の表示画像１１４は、使用時に強磁性検出システム１０４の機能を反映するように監視手段１００によって能動的に変更される。しかしながら、検出イベントが発生したことを示すために可聴音が、画像を変更する変更において、または追加的に、ユーザに提示されてもよく、可聴音はスピーカ１１５によって伝達される。保護されているドア１１６が開閉すると、画面１１８上に表示されているドア１１６ａも開閉し、強磁性検出システム１０４の警告ライト１１２の色を変化させることによって警告信号が発せられると、画面１１８上の表示１１４におけるライト１１２ａも変化する。これにより、オペレータがモニタ１０２を見て、強磁性検出システム１０４の動作を視認することができる。
【００４９】
モニタ１０２上に表示されるものを変更するため、または可聴アラートを発するために、監視システム１００は、強磁性検出システム１０４の関連する送信機１２２から受信機１２０を介して情報を受信する。受信機１２０および送信機１２２の各々は、双方向通信が可能となるように、送信および受信の他方も可能である。受信機１２０および送信機１２２は、互いに有線接続されてもよく、または例えば適切な無線プロトコルを介して無線で通信し得る。送信機１２２は、図３に示されるようなコントローラ１２４内に収容され得る。コントローラ１２４は、強磁性検出システム１０４内から情報を受け取る。具体的には、警告装置１１２がトリガされた場合に、コントローラ１２４がこの情報を監視システム１００に伝えることができるように、いくつかの警告装置１１２のうちの任意の１つの状態に関する情報が収集される。本実施形態に示すように、コントローラ１２４によって受信される他の情報は、強磁性検出システムによって監視される出入口１０６におけるドア１１６が開放されているか、または閉鎖されているかに関する情報を含み得る。
【００５０】
強磁性検出システム１０４自体は、強磁性検出システム１０４によって保護された領域内での強磁性材料の存在を検出するように構成される。図示の例では、この領域は、例えば、強磁性物体が出入口に接近するかまたは出入口を通過する場合に可聴的または視覚的警告を提供するために、ＭＲＩ室への出入口１０６の近傍にある。このようにして、そのような物体をその領域に持ち込む人は、この事実に対してアラートされ、物体が意図的でなくＭＲＩ室または他の保護された領域に持ち込まれた場合は、そうすべきではないとアラートされる。
【００５１】
強磁性検出システム１０４は、磁気グラジオメータまたは他の種類のセンサを作成するために、互いに接続され得る複数の強磁性センサを含み得る。
送信機１２２から信号を受信すると、プロセッサ１２６は、図示された実施形態において警告装置１１２ａの表示を点滅させることによって、モニタ１０２上に表示された情報１１４を変更させる。図示の実施形態では、モニタ１０２はタブレットコンピュータであり、従って、この情報は装置のタッチ画面上に表示される。この時点で、監視システム１００のユーザは、強磁性検出システム１０４が起動され、かつ警告信号がトリガされたという事実についてアラートされ得る。
【００５２】
重要なことに、本明細書では検出イベントと呼ばれる警告が強磁性検出システム１０４によってトリガされたとき、監視システム１００のプロセッサ１２６は、検出イベントが意図的な動作または意図的でない動作の結果であったかをユーザがシステムに示すように求めるプロンプトをユーザに対して発行する。図４ａに示されるように、プロンプトは、画面上に現れる大型ボタン１２８を含む。この例の画面１１８は、タッチ感応型であり、かつユーザ入力デバイスを兼ねているので、ユーザは、イベントが意図的でない場合にはボタンをタップし、そうでない場合には解除ボタン１３０をタップすることができる。使用されるモニタ１０２の種類に応じて、画面上のボタンに代わるものが、これに代えて使用し得る。例えば、画面がタッチ感応型ではない場合、ユーザがプロンプトに応答するためにキーパッドを提供することができる。
【００５３】
ユーザは、計画された意図的な動作についてそれらの動作が開始される前に認識され得る。このようにして、ユーザは、検出イベントを計画された意図的な動作と手動で一致させ、次いでこの指示を監視システム１００に入力することができる。
【００５４】
それが使用されるときに、監視システム１００は、各検出イベントに関するデータを蓄積する。各検出イベントに関する情報は、プロセッサ１２６によって処理されて、メモリ１３２に格納され得る。検出イベントの日時など、基本レベルの情報は、意図的であるか否かにかかわらず、検出イベントごとに格納され得る。さらに、検出イベントが意図的でないと示されている場合、検出イベントの画像およびビデオ、例えば、または他の関連情報を含むことができる追加の情報が格納される。例えば、図４ｂは、検出イベントに関する情報を格納することができるフリーテキスト入力用のテキストボックスを含むデータ入力フォーム１３３を含む。図示されているように、他の詳細は、負傷または何らかの損傷が発生したかどうか等の複数の選択入力として格納され得る。
【００５５】
その後、このデータは、図５に示されるようなログファイル１３４に格納され得る。図示のように、ログファイル１３４は、選択された期間にわたる各検出イベントを示すが、生成される場合に、ユーザは任意の所望の長さの任意の日付範囲を要求し得る。
【００５６】
図示の例では、ログファイル１３４は、ユーザによって指定されたように、検出イベントの日付および時刻、並びに検出イベントが意図的であったか否かを含むいくつかのデータフィールドを含む。検出イベントが意図的でないと指定された場合、ログファイル１３４は、図示のように、ユーザによってクリックスルーされ得るＭＲＩ出入口の静止画像１３５またはビデオ等の追加の情報をも格納し得る。ログファイルは、例えば、検出イベントを生じさせる信号の大きさをも含み得る。
【００５７】
ログファイル１３４は、ユーザが自由に生成することができる。例えば、ユーザは、検出イベントのログファイル１３４を生成するために、監視システム１００に何時でも問い合わせをすることが可能であり得る。そのような問い合わせは、要求された任意の日付期間からの情報を得ることができる。追加的または代替的に、監視システムは、定期的に、例えば毎週または毎月、ログファイル１３４を自動的に生成し、その後、ログファイル１３４はメモリ１３２に格納されるか、または必要に応じてさらなる分析のために遠隔送信され得る。
【００５８】
任意の分析を支援するために、ログファイル１３４を使用して、ログファイルに格納されたデータのグラフまたは他の表現を生成することが望ましい場合もあり得る。２つの例示的なグラフ１３６ａ、１３６ｂが図６ａおよび６ｂに示されている。図６ａのグラフは、検出されたＭＲＩ領域への侵入の月毎の傾向および意図的でない検出イベントの関連する数を示している。図６ｂのグラフ１３６ｂも月毎の傾向を示しているが、より詳細には、保護領域への侵入、検出イベント、および意図的でない検出イベントを示している。画面に表示される更なる情報には、磁気活動レベル、ドアが開放されている時間のパーセンテージ、およびシステムの自己診断の結果がさらに含まれる。
【００５９】
検出システム１０４の自己診断は、図２に示すように監視システム１００によって開始することができる。自己診断は、検出システム１０４が正しく機能しているかどうかを確かめるために検出システム１０４の多くの属性をチェックする。自己診断の結果は、次に監視システム１００に送り返すことができ、監視システム１００で必要に応じて自己診断の結果を分析して、ユーザに表示することができる。
【００６０】
監視システム１００は、検出システム１０４の構成を調整するためにも使用され得る。そのような構成の変更は、例えば、モニタ１０２上のユーザ入力によって引き起こすことができる。
【００６１】
図７ａおよび図７ｂに示されるように、監視システム１００はまた、監視システム１００または検出システム１０４の機能に関して有用であり得る特定の他の情報を表示するように構成され得る。例えば、図７ａは、監視システム上または監視システムに接続されたネットワーク上に格納することができ、かつシステム１００、１０４の使用において要員を訓練するために使用することができるトレーニングビデオの選択を示す。ＭＲＩ要員および非ＭＲＩ要員などの異なる種類の要員に対して個別のトレーニングビデオを使用することができる。図７ｂは、検出システムに関連するスクリーニング機器の使用方法をユーザに指導するためのフローチャートを示す。これにより、監視システム１００のユーザは、意図的でない検出イベントのインスタンスを少なくするのに役立ち得るスクリーニング機器の適切な使用において指導を受けることができる。
【図１】
2020510454.tif 000003
【図２】
2020510454.tif 000004
【図３】
2020510454.tif 000005
【図４ａ】
2020510454.tif 000006
【図４ｂ】
2020510454.tif 000007
【図５】
2020510454.tif 000008
【図６ａ】
2020510454.tif 000009
【図６ｂ】
2020510454.tif 000010
【図７ａ】
2020510454.tif 000011
【図７ｂ】
2020510454.tif 000012
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
検出システムと組み合わせて使用するための監視システムであって、前記検出システムは、前記検出システムが検出可能な物体を検出したときに検出イベントを示すための警告信号を生成する種類のものであり、
前記警告信号が検出イベントを示すときに、ユーザに情報を提示してユーザにアラートするように構成されたプロセッサと、
検出イベントの提示に応答して検出イベントが意図的でない動作または意図的な動作の結果であったかどうかを示すユーザ生成信号を生成するユーザ入力を受け入れるように構成されたユーザインタフェースとを備え、
前記プロセッサは、ユーザ生成信号が検出イベントが意図的でない動作の結果であったことを示すときに、検出イベントに関連するデータをメモリユニットに自動的に格納するように構成される、監視システム。
【請求項２】
前記検出システムは強磁性検出システムであり、前記検出可能な物体は強磁性物体である、請求項１に記載の監視システム。
【請求項３】
ディスプレイを含み、前記プロセッサは、前記警告信号の状態に従って前記ディスプレイ上に提示される１つまたは複数の画像を変更することによってユーザに情報を提示する、請求項１に記載の監視システム。
【請求項４】
提示される情報が、前記検出システムの１つまたは複数の部品の視覚的表現を含む、請求項３に記載の監視システム。
【請求項５】
前記部品が、前記検出システムに組み込まれた１つまたは複数の警告ライトの表示を含む、請求項４に記載の監視システム。
【請求項６】
前記ディスプレイおよび前記ユーザ入力は、前記検出システムから離れた前記検出システムがユーザに視認可能でない場所に配置されている、請求項３に記載の監視システム。
【請求項７】
前記検出システムは、ＭＲＩ室への出入口を保護するために前記出入口に組み付けられ、前記ディスプレイは、前記出入口から離れた制御室に配置されている、請求項３に記載の監視システム。
【請求項８】
前記プロセッサおよび前記ディスプレイが、ユーザ入力デバイスと共に単一の筐体内に一体化されている、請求項３に記載の監視システム。
【請求項９】
前記監視システムがポータブル型である、請求項１に記載の監視システム。
【請求項１０】
前記監視システムは、有線接続または無線で警告装置に接続されている、請求項１に記載の監視システム。
【請求項１１】
前記プロセッサは、使用時に、装置からデジタル記録または印刷された記録としてエクスポートするのに適した一連の意図的でないイベントに関する一組の格納されたデータを含むログファイルを生成するように構成されている、請求項１に記載の監視システム。
【請求項１２】
前記ログファイルは、所定の間隔で自動的に生成される、請求項１１に記載の監視システム。
【請求項１３】
前記プロセッサは、前記ログファイルを生成する際に使用するための日付範囲を選択するようにユーザに促すように構成されている、請求項１１に記載の監視システム。
【請求項１４】
前記ユーザ入力が前記検出イベントが意図的な動作の結果であったことを示している場合、データが格納されない、請求項１に記載の監視システム。
【請求項１５】
格納されているデータの少なくとも一部が前記検出システムから得られる、請求項１に記載の監視システム。
【請求項１６】
前記データが、前記検出システム以外の場所から取得されたデータを含む、請求項１に記載の監視システム。
【請求項１７】
前記データが、
イベントの時刻、
前記検出システムによって保護されている領域の静止画またはビデオの記録、
前記検出イベントをトリガした信号の大きさ、
前記検出システムに関連付けられているドアの位置または状態、
前記検出システムに関連するドアを通過する出入りの発生頻度、
前記検出システムからのその他の出力
のうちの少なくとも１つを含む、請求項１に記載の監視システム。
【請求項１８】
前記監視システムは、検出イベントの発生時に警告装置からアラーム信号を受信するように構成された受信機を含み、前記プロセッサは、前記受信機から受信した信号に従って動作する、請求項１に記載の監視システム。
【請求項１９】
前記ユーザインタフェースがボタンを含む、請求項１に記載の監視システム。
【請求項２０】
前記ボタンは画面上のボタンである、請求項１９に記載の監視システム。
【請求項２１】
前記ディスプレイは、トレーニング情報および／またはビデオ、ユーザマニュアル、および／または手順をユーザにさらに提供するように構成されている、請求項３に記載の監視システム。
【請求項２２】
前記ディスプレイは、ユーザが検出器システムのシステムテストを呼び出し、前記システムテストの結果を報告することを可能にするように構成されている、請求項３に記載の監視システム。
【請求項２３】
前記監視システムは、ユーザ入力に従って検出器システムの設定を変更するように構成されている、請求項１に記載の監視システム。
【請求項２４】
検出システムに関連する検出イベントをログ記録する方法であって、前記検出システムは、使用時に前記検出システムが検出可能な物体を検出したときに検出イベントを示すように状態を変更する警告装置を含み、
監視システム上で検出システムからの動作情報を受信するステップと、
前記監視システムを用いて前記検出システムに関する情報をユーザに提示するステップと、
提示された情報を前記検出システムに関連する警告装置の状態に従って変更して、前記警告装置が検出イベントを示すときにユーザにアラートするステップと、
検出イベントが意図的でない動作または意図的な動作の結果であったかどうかを示すために検出イベントの提示に応答してユーザがユーザインタフェースを操作するステップとを含み、
検出イベントが意図的でない動作の結果であることがユーザインタフェースを介して示された場合、検出イベントに関連するデータが自動的にメモリユニットに格納される、方法。
【請求項２５】
提示された情報がモニタに表示される、請求項２４に記載の方法。
【請求項２６】
表示される情報が、前記検出システムの１つまたは複数の部品の視覚的表現を含む、請求項２５に記載の方法。
【請求項２７】
装置からデジタルまたは印刷された記録としてエクスポートするのに適した一連の意図的でないイベントに関する一組の格納されたデータを含むログファイルが生成される、請求項２４に記載の方法。
【請求項２８】
ユーザは、前記ログファイルを生成する際に使用するための日付範囲を選択するように促される、請求項２７に記載の方法。
【請求項２９】
前記検出イベントが意図的な動作の結果であったことをユーザ入力が示したときにはデータは格納されない、請求項２４に記載の方法。
【請求項３０】
格納されているデータの少なくとも一部が前記検出システムから得られる、請求項２４に記載の方法。
【請求項３１】
前記データが、前記検出システム以外の場所から取得されたデータを含む、請求項２４に記載の方法。
【請求項３２】
前記データが、イベントの時刻、強磁性検出システムによって保護されている領域の静止画またはビデオの記録、および／またはイベントをトリガした信号の大きさを含む、請求項２４に記載の方法。
【請求項３３】
前記検出システムの少なくとも１つの動作特性に従って提示された情報を変更するステップをさらに含む、請求項２４に記載の方法。
【請求項３４】
前記少なくとも１つの動作特性は、前記検出システムに関連するドアが開放状態にあるか、または閉鎖状態にあるかを含む、請求項３３に記載の方法。
【国際調査報告】
2020510454.tif 000013
2020510454.tif 000014
2020510454.tif 000015